【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  旅行サービスへのアクセスを可能にするシステムであって、
旅行サービス取引に関する情報を含むフォームであって、前記フォームの識別と前記フォームの少なくとも１つの基準点とを示す符号化データを含む前記フォームと、
前記旅行サービス取引に関する少なくとも１つのパラメータを識別するための検出デバイスから表示データを受信するためのコンピュータシステムであって、前記表示データが前記フォームの識別と前記フォームを基準とする前記検出デバイスの位置とを示し、また前記検出デバイスが少なくともいくつかの前記符号化データを用いて前記表示データを検出する前記コンピュータシステムと、を含むことを特徴とするシステム。
【請求項２】  請求項１に記載のシステムであって、旅行サービス取引に関連する前記少なくとも１つのパラメータは、前記フォームの少なくとも１つの領域と対応していることを特徴とするシステム。
【請求項３】  請求項１に記載のシステムであって、少なくともいくつかの前記符号化データを用いて、前記フォームを基準とするその動きを検出する検出デバイスを備えていることを特徴とするシステム。
【請求項４】  旅行サービスへのアクセスを可能にするシステムであって、
旅行サービス取引に関する情報を含むフォームであって、前記旅行サービス取引の少なくとも１つのパラメータを示す符号化データを含む前記フォームと、
前記少なくとも１つのパラメータと前記フォームを基準とする検出デバイスの動きとに関するデータを検出デバイスから受信し、また前記検出デバイスの前記動きをそれが前記少なくとも１つのパラメータに関するものであると解釈するためのコンピュータシステムであって、前記検出デバイスが、前記フォームを基準として移動された時、少なくともいくつかの前記符号化データを用いて前記少なくとも１つのパラメータに関する前記データを検出し、また前記フォームを基準とするそれ自身の動きに関する前記データを生成する前記コンピュータシステムと、を含むことを特徴とするシステム。
【請求項５】  旅行サービスへのアクセスを可能にするシステムであって、
フォームの識別を示す符号化データを含む前記フォームと、
見込購買客の識別と前記フォームの識別とに関するデータを検出デバイスから受信し、また前記受信データから旅行サービス取引を識別するためのコンピュータシステムであって、前記検出デバイスが、前記見込購買客の識別に関する前記データを含み、また少なくともいくつかの前記符号化データを用いて前記フォームの識別に関する前記データを検出
する前記コンピュータシステムと、を含むことを特徴とするシステム。
【請求項６】  請求項５に記載のシステムであって、前記符号化データはまた前記旅行サービス取引の少なくとも１つのパラメータを示し、前記コンピュータシステムは、前記旅行サービス取引の前記少なくとも１つのパラメータに関する表示データを前記検出デバイスから受信し、前記検出デバイスが、少なくともいくつかの前記符号化データを用いて前記表示データを検出することを特徴とするシステム。
【請求項７】  請求項５に記載のシステムであって、前記フォームを基準とするその動きを検出する検出デバイスを備えていることを特徴とするシステム。
【請求項８】  請求項１、４又は６のいずれかに記載のシステムであって、前記旅行サービス取引の前記少なくとも１つのパラメータは、
旅行サービス取引のアクションパラメータと、
旅行サービス取引のオプションパラメータと、
旅行サービス取引のテキストパラメータと、
旅行サービス取引の許可パラメータと、
旅行サービス取引の図パラメータと、を含む群から選択されることを特徴とするシステム。
【請求項９】  請求項８に記載のシステムであって、前記旅行サービス取引のアクションパラメータは、
旅行商品を検索する段階と、
旅行商品に関する情報を要求する段階と、
購入対象の旅行商品を選択する段階と、
旅行商品に対する支払いを確認する段階と、
航空便を検索する段階と、
航空便に関する情報を要求する段階と、
購入対象の航空便を選択する段階と、
航空便に対する支払いを確認する段階と、
レンタカーを検索する段階と、
レンタカーに関する情報を要求する段階と、
購入対象のレンタカーを選択する段階と、
レンタカーに対する支払いを確認する段階と、
ホテル宿泊施設を検索する段階と、
ホテル宿泊施設に関する情報を要求する段階と、
購入対象のホテル宿泊施設を選択する段階と、
ホテル宿泊施設に対する支払いを確認する段階と、
休暇パック旅行に関する情報を要求する段階と、
休暇パック旅行に関する見積を要求する段階と、
購入対象の休暇パック旅行を選択する段階と、
休暇パック旅行に対する支払いを確認する段階と、
旅行保険に関する情報を要求する段階と、
旅行保険に関する見積を要求する段階と、
購入対象の旅行保険を選択する段階と、
旅行保険に対する支払いを確認する段階と、を含む群から選択することを特徴とするシステム。
【請求項１０】  請求項８に記載のシステムであって、前記オプションパラメータは、
旅行商品を検索する段階と、
旅行商品に関する情報を要求する段階と、
購入対象の旅行商品を選択する段階と、
旅行商品に対する支払いを確認する段階と、
航空便を検索する段階と、
航空便に関する情報を要求する段階と、
購入対象の航空便を選択する段階と、
航空便に対する支払いを確認する段階と、
レンタカーを検索する段階と、
レンタカーに関する情報を要求する段階と、
購入対象のレンタカーを選択する段階と、
レンタカーに対する支払いを確認する段階と、
ホテル宿泊施設を検索する段階と、
ホテル宿泊施設に関する情報を要求する段階と、
購入対象のホテル宿泊施設を選択する段階と、
ホテル宿泊施設に対する支払いを確認する段階と、
休暇パック旅行に関する情報を要求する段階と、
休暇パック旅行に関する見積を要求する段階と、
購入対象の休暇パック旅行を選択する段階と、
休暇パック旅行に対する支払いを確認する段階と、
旅行保険に関する情報を要求する段階と、
旅行保険に関する見積を要求する段階と、
購入対象の旅行保険を選択する段階と、
旅行保険に対する支払いを確認する段階と、
旅行クラスと、料金種別と、航空会社と、支払カード種別と、車種と、車載装備オプションと、支払カードと、所有種別と、設備オプションと、旅行保険適用種別と、旅行保険対象範囲と、の内少なくとも１つと対応していることを特徴とするシステム。
【請求項１１】  請求項８に記載のシステムであって、前記テキストパラメータは、
旅行出発場所と、旅行の行先の場所と、旅行者数と、航空会社と、航空機と、常連搭乗客会員番号と、旅行者名と、旅行者の住所と、旅行者の電話番号と、旅行者の年齢と、支払カード所有者の名前と、支払カード番号と、支払カード有効期限と、レンタカー乗車場所と、レンタカー降車場所と、レンタカー乗車日付と、車両メーカと、都市と、チェックイン日付と、宿泊客数と、客室数と、ホテルチェーンと、ホテル名と、出発日付と、旅行費用と、の内少なくとも１つのに対応していることを特徴とするシステム。
【請求項１２】  請求項８に記載のシステムであって、前記許可パラメータは支払認証と対応していることを特徴とするシステム。
【請求項１３】  請求項３、４又は７に記載のシステムであって、前記検出デバイスはマーキングペン先を含むことを特徴とするシステム。
【請求項１４】  請求項３又は４に記載のシステムであって、前記検出デバイスは、検出デバイスに一意的な識別を付与する識別手段を含み、また特定の見込購買客に属するものであるとそれを識別することを特徴とするシステム。
【請求項１５】  請求項１、４又は５に記載のシステムであって、前記フォームは表示面画成手段の表示面上に出力され、また前記システムは表示面にオンデマンドで前記フォームを出力するためのプリンタを含むことを特徴とするシステム。
【請求項１６】  請求項１５に記載のシステムであって、前記プリンタは前記表示面画成手段上で前記フォームを出力すると同時に、前記符号化データを出力することを特徴とするシステム。